(57)【要約】【課題】多様な用紙幅に対してスタッカ部での用紙詰まりを安定して検出できるスタッカ部用紙詰まり検出機構を提供する。【解決手段】印刷用紙１ａ，１ｂの印字面に対して異なった角度でスタッカ部用紙詰まり検出センサ３，４を複数式配置し、使用する印刷用紙１ａ，１ｂの用紙幅によってスタッカ部用紙詰まり検出センサ３，４を切替える。【選択図】    図２2008100832.tif 000003
2008100832.tif 000002
【特許請求の範囲】
【請求項１】
印刷済みの連続帳票を溜めるスタッカ部を備えた電子写真装置において、前記スタッカ部に用紙詰まりを検出する検出機構を異なる角度で複数配置し、使用する前記連続帳票の用紙幅によって前記複数の検出機構を切り替えることを特徴とする電子写真装置。
【発明の詳細な説明】
【技術分野】
【０００１】
本発明は電子写真装置に係り、特に連続帳票の印刷が可能な電子写真装置の印刷済み用紙を溜める部位の用紙詰まり検出機構に関するものである。
【背景技術】
【０００２】
連続帳票を用いる電子写真装置には、印刷済み用紙を溜める部位（以下、スタッカ部と称す）が設けられている。図３に連続帳票を用いる電子写真装置の構成を示す。
【０００３】
用紙ホッパ部より印刷用紙５が用紙送り機構６で感光体７まで搬送され、感光体７上に形成されたトナー像８を転写器９によって印刷用紙５に転写される。次に印刷用紙５は定着部１０に送られ、印刷用紙５に転写されたトナー像８は印刷用紙５に定着される。定着済の印刷用紙５はその後スタッカ部１１に搬送される。
【０００４】
図４、図５は、従来のスタッカ部用紙詰まり検出機構を説明するための図である。図３ならびに図４に示すように、スタッカ部１１には定着部１０を通過した印刷用紙５をミシン目に従って折り畳む為の用紙折りたたみガイド機構１２があり、印刷用紙５はこの用紙折りたたみガイド機構１２によって、矢印１６，矢印１７方向に振り分けられながらスタッカ部１１のテーブル１４上に折りたたまれ積上げられて行く。
【０００５】
スタッカ部１１には用紙が正しく折りたたまれていることを検出する為のスタッカ部用紙詰まり検出センサ１３が、印刷用紙５の印字面に対して斜めに配置されている。一般的にスタッカ部用紙詰まり検出センサ１３は発光素子・受光素子一対の光学式センサが用いられる。印刷用紙５の印字面に対して直角に配置すると、印刷用紙によって光軸が常に遮られる為、スタッカ部１１にて印刷用紙５が正しく折りたたまれている状態と、正しく折りたたまれていない状態を区別することが出来ない。そのためスタッカ部用紙詰まり検出センサ１３を印刷用紙５の印字面に対して斜めに配置することで、用紙折りたたみガイド機構１２によって印刷用紙５は矢印１６，矢印１７方向に振り分けられる印刷用紙５によって、スタッカ部用紙詰まり検出センサ１３の光軸は交互に遮られた状態と、遮られない状態となり、印刷用紙５がスタッカ部１１で正しく折りたたまれていることを認識する。
【０００６】
スタッカ部１１で印刷用紙５が正しく折りたたまれない状態となった場合、定着部１０から送り出された印刷用紙５がスタッカ部１１で詰まりスタッカ部用紙詰まり検出センサ１３の光軸を遮る為、スタッカ部１１での印刷用紙詰まりを検出することが出来る。但し、電子写真装置が多様な印刷用紙に対応する場合、印刷用紙５の幅寸法も幅の狭い印刷用紙から幅の広い印刷用紙まで対応する必要がある。
【発明の開示】
【発明が解決しようとする課題】
【０００７】
ところで用紙幅が広い印刷用紙５ａに対応するためには、印刷用紙５ａの印字面に対して深い角度でスタッカ部用紙詰まり検出センサ１３を配置すると、常に印刷用紙５ａがスタッカ部印刷用紙詰まり検出センサ１３の光軸を遮ることとなる為、スタッカ部用紙詰まり検出センサ１３の印刷用紙５ａの印字面に対する角度θ１５は浅くする必要がある。逆に用紙幅が狭い印刷用紙に対応するためには、印刷用紙５ｂの印字面に対して浅い角度でスタッカ部用紙詰まり検出センサを配置すると、印刷用紙５ｂがスタッカ部印刷用紙詰まり検出センサ１３の光軸を遮ることができない為、スタッカ部用紙詰まり検出センサ１３の印刷用紙５ｂの印字面に対する角度θ１５は深くする必要がある。
【０００８】
以上のように多様な用紙幅の印刷用紙に対応するスタッカ部用紙詰まり検出センサ１３の配置は極限られた範囲に限定され、組み付け時のバラツキ等を考慮すると安定してスタッカ部１１での印刷用紙詰まりを検出すること困難であった。
【０００９】
本発明の目的は、このような従来技術の欠点を解消し、多様な用紙幅の印刷用紙においても安定したスタッカ部での用紙詰まり検出を行うことのできる電子写真装置を提供することにある。
【課題を解決するための手段】
【００１０】
前記目的を達成するため本発明は、印刷済みの連続帳票を溜めるスタッカ部を備えた電子写真装置において、前記スタッカ部に用紙詰まりを検出する検出機構を異なる角度で複数配置し、使用する前記連続帳票の用紙幅によって前記複数の検出機構を切り替えることを特徴とするものである。
【発明の効果】
【００１１】
本発明によれば、多様な用紙幅の印刷用紙に対して、スタッカ部での用紙詰まりを安定して検出することができ、誤検出を低減することで、電子写真装置の安定稼動ならびにオペレータへの負担軽減が可能である。
【発明を実施するための最良の形態】
【００１２】
本発明は前述のように、印刷用紙の印字面に対して異なった角度でスタッカ部用紙詰まり検出センサを複数式配置し、使用する印刷用紙の用紙幅によってスタッカ部用紙詰まり検出センサを切替えるものである。
【００１３】
本発明の実施形態に係る電子写真装置を図１、図２を用いて説明する。
【００１４】
スタッカ部では、定着部１０（図３参照）から送られた印刷用紙１は用紙折りたたみガイド機構１２によって、矢印１６，矢印１７方向に振分けられ、テーブル２の上に印刷用紙のミシン目で折りたたまれ積上げられる。スタッカ部用紙詰まり検出センサ（Ａ）３及び（Ｂ）４（以後、以降センサ（Ａ）、センサ（Ｂ）と称す）はスタッカ部の上流に配置され、どちらも印刷用紙１の印字面に対して光軸が斜めとなるよう配置されている。センサ（Ａ）３の光軸は印刷用紙１の印字面に対して浅い角度で配置され、センサ（Ｂ）４の光軸は印刷用紙１の印字面に対して深い角度で配置されている。そして、図２に示すように、用紙幅が広い印刷用紙１ａを使用する際にはセンサ（Ａ）３を用いて用紙詰まりを検出し、用紙幅が狭い印刷用紙１ｂを使用する際にはセンサ（Ｂ）４を用いて用紙詰まりを検出する。
【００１５】
センサ（Ａ）３とセンサ（Ｂ）４の切替は、例えば図示しないトラクタ機構部６（図３参照）に設けられている図示しない用紙幅検出機構と連動させることで、センサ（Ａ）３とセンサ（Ｂ）４の切替操作をオペレータに意識させることなく切り替えることが可能となる。
【図面の簡単な説明】
【００１６】
【図１】本発明の実施形態に係るスタッカ部用紙詰まり検出機構を説明するための図である。
【図２】本発明の実施形態に係るスタッカ部用紙詰まり検出機構を説明するための図である（図１のＡ方向から見た図である）。
【図３】電子写真装置における画像形成プロセスを説明するための図である。
【図４】従来のスタッカ部用紙詰まり検出機構を説明するための図である。
【図５】従来のスタッカ部用紙詰まり検出機構を説明するための図である（図４のＢ方向から見た図である）。
【符号の説明】
【００１７】
１ａ：印刷用紙（幅広印刷用紙）、１ｂ：印刷用紙（幅狭印刷用紙）、２：スタッカ部テーブル、３，４：スタッカ部用紙詰まり検出センサ、１２：用紙折りたたみガイド機構、１６，１７：用紙折りたたみガイド機構動作方向。
【図１】
2008100832.tif 000004
【図２】
2008100832.tif 000005
【図３】
2008100832.tif 000006
【図４】
2008100832.tif 000007
【図５】
2008100832.tif 000008